(57)【特許請求の範囲】
【請求項１】
縦長な方形状に枠組み形成される弾球遊技機の外枠において、
第１のＬ型基体と第２のＬ型基体とに形成される組付部を組み付けることにより、前記方形状の外枠が構成され、
前記組付部は、前記第１のＬ型基体と前記第２のＬ型基体の一方に形成される組付係合部と、前記第１のＬ型基体と前記第２のＬ型基体の他方に形成される組付係止部と、からなり、
前記組付係合部は、一方のＬ型基体から他方のＬ形基体に向って突設される係合ピンによって構成され、
前記組付係止部は、前記係合ピンが貫通して先端が外側に突出するように穿設される第１ピン挿通穴と、該第１ピン挿通穴よりも下方且つ外側位置で前記係合ピンが貫通して先端が外側に突出するように穿設される第２ピン挿通穴と、前記第１ピン挿通穴又は前記第２ピン挿通穴から突出した前記係合ピンの先端部と係合固定するように回動自在に設けられる一つの係止レバーと、によって構成され、
前記係合ピンを前記第１ピン挿通穴に差し込み前記係合レバーにて係合固定することで構成した方形状の外枠より、前記係合ピンを前記第２ピン挿通穴に差し込み前記係合レバーにて係合固定することで構成した方形状の外枠の方が、上下左右方向の寸法の小さな外枠が構成されることを特徴とする弾球遊技機の外枠。
【発明の詳細な説明】
【０００１】
【発明の属する技術分野】
本発明は、縦長な方形状に枠組み形成される弾球遊技機の外枠に関するものである。
【０００２】
【従来の技術】
従来、一般に、弾球遊技機としてのパチンコ遊技機は、縦長な方形状に枠組み形成される外枠に対して、遊技機の主要構成部品のほぼ全てが集約して設けられる枠基体を開閉自在に取り付けることで構成されている。また、このようなパチンコ遊技機の外枠は、西日本方面と東日本方面とで外形寸法が異なって規定されている。具体的に、西日本方面で規定される外枠（これを俗に関西枠タイプという）は、東日本方面のもの（これを俗に関東枠タイプという）より大型になっている。しかしながら、このような外形寸法の異なる規定では、西日本方面用と東日本方面用とで個別に異なった外枠を製造しなければならず、その分製造コストがかかってしまう。そこで、特許公報第２５０５６３０号では、上下及び左右の各枠部材を組み付けて外枠を構成すると共に、そのうち左右の枠部材を関西及び関東の各枠タイプにおいて共通使用が可能に設定することで、製造コストの低減を招来し得る弾球遊技機の外枠が提案された（以下、これを先行技術という）。
【０００３】
【発明が解決しようとする課題】
ところが、上記した先行技術では、左右の枠部材を共通使用する以外は、上下の枠部材を関西枠タイプ用と関東枠タイプ用とで個別に製造しなければならず、関西及び関東の各枠タイプにおける枠部材の完全共通使用とはなっていなかった。本発明は、上記した事情に鑑みなされたもので、その目的とするところは、関西及び関東の各枠タイプにおける枠部材の完全共通使用を可能にすることで、外枠の製造コストを大幅に低減し得る弾球遊技機の外枠を提供することにある。
【０００４】
【課題を解決するための手段】
上記目的を達成するために本発明が採用した解決手段は、縦長な方形状に枠組み形成される弾球遊技機の外枠において、第１のＬ型基体と第２のＬ型基体とに形成される組付部を組み付けることにより、前記方形状の外枠が構成され、前記組付部は、前記第１のＬ型基体と前記第２のＬ型基体の一方に形成される組付係合部と、前記第１のＬ型基体と前記第２のＬ型基体の他方に形成される組付係止部と、からなり、前記組付係合部は、一方のＬ型基体から他方のＬ形基体に向って突設される係合ピンによって構成され、前記組付係止部は、前記係合ピンが貫通して先端が外側に突出するように穿設される第１ピン挿通穴と、該第１ピン挿通穴よりも下方且つ外側位置で前記係合ピンが貫通して先端が外側に突出するように穿設される第２ピン挿通穴と、前記第１ピン挿通穴又は前記第２ピン挿通穴から突出した前記係合ピンの先端部と係合固定するように回動自在に設けられる一つの係止レバーと、によって構成され、前記係合ピンを前記第１ピン挿通穴に差し込み前記係合レバーにて係合固定することで構成した方形状の外枠より、前記係合ピンを前記第２ピン挿通穴に差し込み前記係合レバーにて係合固定することで構成した方形状の外枠の方が、上下左右方向の寸法の小さな外枠が構成されることを特徴とする。このように構成することにより、外形寸法が異なって規定される関西及び関東の各枠タイプにおいて、枠部材の完全共通使用が可能になり、ひいては外枠の製造コストを大幅に低減することができる。
【０００５】
【０００６】
【０００７】
【発明の実施の形態】
以下、図面を参照して本発明の実施形態について説明する。先ず、図１を参照して実施形態に係る弾球遊技機としてのパチンコ遊技機１の概略構成について説明する。図１は、パチンコ遊技機１を示す斜視図である。パチンコ遊技機１は、図１に示すように、縦長な方形状に枠組み形成される外枠２と、該外枠２の一側に開閉自在に軸支され且つ遊技機１の主要構成部品のほぼ全てが集約して設けられる枠基体３と、該枠基体３の下方位置で外枠２に固定される装飾板４と、から構成されている。枠基体３は、合成樹脂によって一体成形されるものであり、その前面側には、ガラス扉枠、打球供給皿、操作ハンドル（共に図示しない）等の各種構成部材が取り付けられている。ガラス扉枠の後方には、可変表示装置６等を備えて遊技領域を形成する遊技盤５が設けられている。また、遊技盤５の裏面側には、発生した入賞玉に基づいて所定個数の景品玉を払い出す景品玉タンク７、可変表示装置６等の遊技装置の作動を制御する遊技制御基板８、操作ハンドルの操作に基づいて遊技領域への打球の発射動作を制御する打球発射装置９、等が設けられている。装飾板４は、外枠２の幅方向とほぼ同一寸法の長板状をなし、その裏面側上辺部には補強板１０（図２参照）が一体的に取り付けられている。また、装飾板４の両側辺部及び下辺部には、それぞれ装飾板４を外枠２にビス止めするための取付穴４ａが穿設されている。
【０００８】
次に、上記した枠基体３の外枠２に対する取り付け構造について説明する。枠基体３は、一側の上端部及び下端部がそれぞれ上下一対の蝶番金具１１・１２を介して外枠２に取り付けられることで、蝶番金具１１・１２の取付ピン１１ａ・２ａ（図２参照）を回動軸として外枠２に開閉自在になっている。一方、枠基体３の他側には、施錠装置１３が設けられている。この施錠装置１３は、枠基体３の裏面側に取り付けられる長板断面Ｌ字状の取付基板１４に集約して形成されている。即ち、取付基板１４の前面側には、枠基体３を貫通して配されるシリンダー錠（図示しない）が設けられる一方、裏面側にはシリンダー錠に対する鍵操作に伴って上下方向にスライドするスライド部材１５が設けられている。スライド部材１５の上下両端部には、外枠２に取り付けられる上下一対の係止金具１６ａ・１６ｂと個々に係合する係合フック部１５ａ・１５ｂが形成されている。これにより、施錠装置１３は、係合フック部１５ａ・１５ｂを係止金具１６ａ・１６ｂに係合させることで枠基体３を外枠２に施錠する一方、係合フック部１５ａ・１５ｂを係止金具１６ａ・１６ｂから係合解除することで枠基体３を外枠２から解錠するようになっている。
【０００９】
次に、本発明の要部をなす外枠２について図２乃至図５を参照して説明する。外枠２は、図２に示すように、上下の各Ｌ型基体２０ａ・２０ｂから構成されている。なお、Ｌ型基体２０ａ・２０ｂは、それぞれ同一の部材から構成されている。このため、以下の説明では、各Ｌ型基体２０ａ・２０ｂをＬ型基体２０と総称して説明を行う。Ｌ型基体２０は、比較的剛性があり且つ強度が高いポリスチレンあるいはＡＢＳ樹脂等の合成樹脂から成形されている。Ｌ型基体２０の長辺部２１の先端には、組付係止部２２が設けられる一方、短辺部２３の先端には、長辺部２１と並行に折曲形成された組付係合部２４が設けられている。また、長辺部２１と短辺部２３の隅角部には、Ｌ型基体２０の剛性を高めるために三角形状の補強部材２５が取り付けられている。
【００１０】
組付係止部２２は、図３（Ａ）（Ｂ）に示すように、長辺部２１の奥行き方向における後ろ半分が切り取られた形状をなしており、その切取部分が小型組付面２６となっている。組付係止部２２の内向（左側）部分は、長辺部２１の幅方向に突出して形成され、その突出部分の後端部からは、外形形状に沿った断面Ｌ字状の大型組付片２７が突設されている。また、組付係止部２２の前面には、係止レバー２８を回動自在にビス２９で取り付ける取付ボス３０が形成されており、該取付ボス３０の左側方及び下方には、組付係止部２２を前後方向で貫通するピン挿通穴３１・３２が穿設されている。なお、上記した内向への突出部分を除いた組付係止部２２の上端面は、傾斜状の当接面部３３として形成されている。また、係止レバー２８には、係止凹部２８ａと、レバー２８を回動操作するための操作片部２８ｂと、が形成されている。
【００１１】
一方、組付係合部２４は、短辺部２３の奥行き方向における前半分が切り取られた形状をなしており、その前半分の端面は、傾斜状の当接面部３４として形成されている。組付係合部２４の先端側（下側）の前面には、係合ピン３５が突設されている。この係合ピン３５は、ピン挿通穴３１・３２への挿通状態で先端側が若干組付係止部２２の前面から突出する長さに形成され、その突出する先端側には、係止レバー２８の係止凹部２８ａと係合する係合溝部３５ａが形成されている。また、組付係合部２４の外向（右側）面及び背面には、それぞれ２箇所ずつ取付穴３６が穿設されている。この取付穴３６は、Ｌ型基体２０を上側のＬ型基体２０ａとして用いる際に蝶番金具１１を組付係合部２４に取り付けるための穴であり、具体的な取り付け方法は、蝶番金具１１の取付穴１１ｂを組付係合部２４の取付穴３６にビス３７止めすることで行われる。なお、短辺部２３の奥行き及び幅の各寸法は、それぞれ長辺部２１と同一に設定されている。
【００１２】
次に、上下の各Ｌ型基体２０ａ・２０ｂの組み付けについて説明する。先ず、Ｌ型基体２０ａ・２０ｂを小型タイプ（関東枠タイプ）の外枠２として組み付ける場合には、図４（Ａ）に示すように、組付係合部２４の係合ピン３５を組付係止部２２のピン挿通穴３２に挿通する。これにより、組付係合部２４は、組付係止部２２の小型組付面２６に当接した状態となり、また、組付係合部２４の当接面部３４と組付係止部２２の当接面部３３とが相互に当接した状態となる。そして、この状態から係止レバー２８を回動操作して係合ピン３５の係合溝部３５ａに係止凹部２８ａを係合することで、Ｌ型基体２０ａ・２０ｂ間の取り付けを固定して小型タイプの外枠２を組み付け形成する。なお、この小型タイプの外枠２は、図５（Ａ）に示すように、幅方向の外形寸法がＷ１となり、高さ方向の外形寸法がＨ１となる。
【００１３】
一方、Ｌ型基体２０ａ・２０ｂを大型タイプ（関西枠タイプ）の外枠２として組み付ける場合には、図４（Ｂ）に示すように、組付係合部２４の係合ピン３５を組付係止部２２のピン挿通穴３１に挿通する。これにより、組付係合部２４は、組付係止部２２の大型組付片２７に当接した状態となる。なお、このとき、組付係合部２４の当接面部３４と組付係止部２２の当接面部３３とは、所定の距離を置いて対向した状態となる。そして、この状態から係止レバー２８を回動操作して係合ピン３５の係合溝部３５ａに係止凹部２８ａを係合することで、Ｌ型基体２０ａ・２０ｂ間の取り付けを固定して大型タイプの外枠２を組み付け形成する。なお、この大型タイプの外枠２は、図５（Ｂ）に示すように、幅方向の外形寸法がＷ２（＞Ｗ１）となり、高さ方向の外形寸法がＨ２（＞Ｈ１）となる。
【００１４】
以上のように、本実施形態に係るパチンコ遊技機１は、Ｌ型基体２０ａ・２０ｂの組み付けによって外枠２を形成しており、そのＬ型基体２０ａ・２０ｂには、外枠２を小型タイプと大型タイプとに組み付け変更可能な組付係止部２２及び組付係合部２４が設けられている。これにより、外形寸法が異なって規定される関西及び関東の各枠タイプにおいて、Ｌ型基体２０ａ・２０ｂを完全に共通使用することができるため、外枠２の製造コストを大幅に低減することができる。また、Ｌ型基体２０ａ・２０ｂは、比較的剛性があり且つ強度が高いポリスチレンあるいはＡＢＳ樹脂等の合成樹脂から成形されている。このため、外枠を木材で製造する場合に比べて湿気や衝撃等に対する耐久性を向上することができ、さらには量産性を向上することができるので、製造コストの低減を更に招来することができる。また、外枠２をＬ型基体２０ａとＬ型基体２０ｂの２部品から構成すると共に、組付係止部２２と組付係合部２４との係合位置の変更によって外枠２の外形寸法の幅方向及び高さ方向を共に変更可能な構成としているため、外枠２の組み付け効率を向上することができる。また、この構成においては、Ｌ型基体２０ａ・２０ｂが同一の部材からなるため、外枠２の構成部材を製造するための金型等を必要最小限に抑えることができ、より一層製造コストを低減することができる。
【００１５】
なお、上記した実施形態（第一実施形態）では、Ｌ型基体２０ａ・２０ｂを合成樹脂で成形する構成としているが、これに限定するものではない。即ち、Ｌ型基体２０ａ・２０ｂを木材で製造する場合においても、Ｌ型基体２０ａ・２０ｂに組付係止部２２及び組付係合部２４を設けた構成であれば、上記した製造コストの大幅低減を招来するものである。また、第一実施形態では、組付係止部２２と組付係合部２４との係合位置の変更を２通りに設定することで、外枠２の外形寸法を小型タイプ（関東枠タイプ）と大型タイプ（関西枠タイプ）の２種類に変更可能としているが、これに限定するものではない。即ち、組付係止部２２と組付係合部２４との係合位置の変更を複数通りに設定すれば、この複数通りの設定数に対応して外形寸法の種類を広げることができる。また、第一実施形態では、組付係止部２２及び組付係合部２４を個々に設けた２つのＬ型基体２０ａ・２０ｂによって本発明の外枠を組み付け形成しているが、この構成に限定するものではない。以下、その他の構成を第二及び第三の実施形態として説明する。
【００１６】
先ず、第二実施形態の外枠４０を図６乃至図９を参照して説明する。外枠４０は、図６に示すように、左上、右上、左下、右下の計４個のＬ型基体４１ａ〜４１ｄから構成されている。Ｌ型基体４１ａ〜４１ｄの両端部には、それぞれ相互間の組み付けを可能にする組付部が設けられている。この組付部は、外向組付部４２と内向組付部４３との２種類があり、Ｌ型基体４１ａ〜４１ｄにおける外向及び内向の各組付部４２・４３を所望の態様で組み付けることで外枠４０が形成される。このため、以下の説明では、図６（Ｂ）に示すように、Ｌ型基体４１ｂの一端部に設けられた外向組付部４２と、Ｌ型基体４１ｄの一端部に設けられた内向組付部４３と、の組み付けを例に挙げて外枠４０の組み付け形成について説明する。
【００１７】
外向組付部４２は、図７及び図８にも示すように、Ｌ型基体４１ｂの幅方向における内向側（左側）の半分が切り取られた形状をなしており、その切取部分が当接面部４４となっている。外向組付部４２には、その左右方向に貫通する４つのネジ挿通穴４５ａ・４５ｂ・４６ａ・４６ｂが穿設されている。ネジ挿通穴４５ａ・４５ｂ及びネジ挿通穴４６ａ・４６ｂは、個々に一対の構成をなしており、一対のネジ挿通穴４５ａ・４５ｂの下方に一対のネジ挿通穴４６ａ・４６ｂが位置している。また、外向組付部４２の右側面には、各ネジ挿通穴４５ａ・４５ｂ間に金具収納溝４７ａが条設され、各ネジ挿通穴４６ａ・４６ｂ間に金具収納溝４７ｂが条設されている。この金具収納溝４７ａ・４７ｂは、後述する取付金具５０を用いた組み付け状態で、取付金具５０の基部５０ａが外向組付部４２から突出するのを回避するための溝である。一方、内向組付部４３は、Ｌ型基体４１ｄの幅方向における外向側（右側）の半分が切り取られた形状をなしており、その切取部分が当接面部４８となっている。そして、内向組付部４３には、その左右方向に貫通する一対のネジ挿通穴４９ａ・４９ｂが穿設されている。なお、上記した各ネジ挿通穴４５ａ・４５ｂ間、各ネジ挿通穴４６ａ・４６ｂ間、及び各ネジ挿通穴４９ａ・４９ｂ間、の各寸法は、後述する各ネジ部５０ｂ・５０ｂ間の寸法と同一に統一設定されている。
【００１８】
次に、Ｌ型基体４１ｂとＬ型基体４１ｄとの組み付けについて説明する。なお、組み付けには、取付金具５０と２個の蝶ナット５１とが用いられる。また、取付金具５０は、棒状の基部５０ａと、該基部５０ａの両端から直交方向に折曲された左右のネジ部５０ｂ・５０ｂと、を有してコの字状に形成されている。先ず、外枠４０を小型タイプ（関東枠タイプ）に組み付ける場合には、図７（Ａ）（Ｂ）及び図９（Ａ）に示すように、外向組付部４２のネジ挿通穴４５ａ・４５ｂと内向組付部４３のネジ挿通穴４９ａ・４９ｂとを連通して配す。このとき、外向組付部４２の当接面部４４と内向組付部４３の先端面、及び内向組付部４３の当接面部４８と外向組付部４２の先端面は、個々に当接した状態となる。この状態で連通したネジ挿通穴４５ａ・４９ａ及びネジ挿通穴４５ｂ・４９ｂに対して取付金具５０の各ネジ部５０ｂ・５０ｂを外向組付部４２側から個々に挿通する。そして、ネジ挿通穴４９ａ・４９ｂから突出する各ネジ部５０ｂ・５０ｂに蝶ナット５１を螺着することで、Ｌ型基体４１ｂ・４１ｄを組み付ける。また、これと同様にして、Ｌ型基体４１ａ・４１ｂ間、Ｌ型基体４１ａ・４１ｃ間、及びＬ型基体４１ｃ・４１ｄ間、を個々に組み付けることで小型タイプの外枠４０を組み付け形成する。
【００１９】
一方、外枠４０を大型タイプ（関西枠タイプ）に組み付ける場合には、図８（Ａ）（Ｂ）及び図９（Ｂ）に示すように、外向組付部４２のネジ挿通穴４６ａ・４６ｂと内向組付部４３のネジ挿通穴４９ａ・４９ｂとを連通して配す。このとき、外向組付部４２の当接面部４４と内向組付部４３の先端面、及び内向組付部４３の当接面部４８と外向組付部４２の先端面は、それぞれ所定の距離を置いて対向した状態となる。この状態で連通したネジ挿通穴４６ａ・４９ａ及びネジ挿通穴４６ｂ・４９ｂに対して取付金具５０の各ネジ部５０ｂ・５０ｂを外向組付部４２側から個々に挿通する。そして、ネジ挿通穴４９ａ・４９ｂから突出する各ネジ部５０ｂ・５０ｂに蝶ナット５１を螺着することで、Ｌ型基体４１ｂ・４１ｄを組み付ける。また、これと同様にして、Ｌ型基体４１ａ・４１ｂ間、Ｌ型基体４１ａ・４１ｃ間、及びＬ型基体４１ｃ・４１ｄ間、を個々に組み付けることで大型タイプの外枠４０を組み付け形成する。
【００２０】
以上のように、第二実施形態に係る外枠４０は、外向組付部４２及び内向組付部４３を個々に設けた計４個のＬ型基体４１ａ〜４１ｄを相互間で組み付けることによって形成されており、外向組付部４２と内向組付部４３との組み付け位置を変更することで、小型タイプ及び大型タイプの外形寸法に変更可能になっている。これにより、前記第一実施形態の外枠２と同様に、外形寸法が異なって規定される関西及び関東の各枠タイプにおいて、Ｌ型基体４１ａ〜４１ｄを完全に共通使用することができるため、外枠４０の製造コストを大幅に低減することができる。
【００２１】
次に、第三実施形態の外枠６０を図１０及び図１１を参照して説明する。外枠６０は、図１０に示すように、上下及び左右の計４個の基体６１ａ〜６１ｄから構成されている。基体６１ａ〜６１ｄは、それぞれ長板状をなし、その両端部には相互間の組み付けを可能にする組付部が設けられている。この組付部は、上層組付部６２と下層組付部６３との２種類があり、基体６１ａ〜６１ｄにおける上層及び下層の各組付部６２・６３を所望の態様で組み付けることで外枠６０が形成される。このため、以下の説明では、基体６１ａの一端部に設けられた上層組付部６２と、基体６１ｄの一端部に設けられた下層組付部６３と、の組み付けを例に挙げて外枠６０の組み付け形成について説明する。
【００２２】
上層組付部６２は、図１１にも示すように、基体６１ａの一端部（右端部）でその上下方向に貫通する一対のネジ挿通穴６４ａ・６４ｂが穿設されて構成されている。一方、下層組付部６３は、基体６１ｄの一端側（上端側）の内向（左側）部分が突出して形成されており、その上端面には、４つのネジ挿入穴６５ａ・６５ｂ・６６ａ・６６ｂが穿設されている。ネジ挿入穴６５ａ・６５ｂ及びネジ挿入穴６６ａ・６６ｂは、個々に一対の構成をなしており、一対のネジ挿入穴６５ａ・６５ｂの左側方に一対のネジ挿入穴６６ａ・６６ｂが位置している。なお、各ネジ挿入穴６５ａ・６５ｂ間、及び各ネジ挿入穴６６ａ・６６ｂ間、の各寸法は、上層組付部６２に穿設された各ネジ挿通穴６４ａ・６４ｂ間の寸法と同一に統一設定されている。
【００２３】
次に、基体６１ａと基体６１ｄとの組み付けについて説明する。先ず、外枠６０を小型タイプ（関東枠タイプ）に組み付ける場合には、図１０（Ａ）（Ｂ）及び図１１（Ａ）に示すように、上層組付部６２のネジ挿通穴６４ａ・６４ｂと下層組付部６３のネジ挿入穴６５ａ・６５ｂとを連通して配す。そして、この状態で連通した穴６４ａ・６５ａ及び穴６４ｂ・６５ｂにネジ６７を螺着することで、基体６１ａ・６１ｄを組み付ける。また、これと同様にして、基体６１ａ・６１ｃ間、基体６１ｂ・６１ｃ間、及び基体６１ｂ・６１ｄ間、を個々に組み付けることで小型タイプの外枠６０を組み付け形成する。一方、外枠６０を大型タイプ（関西枠タイプ）に組み付ける場合には、図１０（Ｃ）（Ｄ）及び図１１（Ｂ）に示すように、上層組付部６２のネジ挿通穴６４ａ・６４ｂと下層組付部６３のネジ挿入穴６６ａ・６６ｂとを連通して配す。そして、この状態で連通した穴６４ａ・６６ａ及び穴６４ｂ・６６ｂにネジ６７を螺着することで、基体６１ａ・６１ｄを組み付ける。また、これと同様にして、基体６１ａ・６１ｃ間、基体６１ｂ・６１ｃ間、及び基体６１ｂ・６１ｄ間、を個々に組み付けることで大型タイプの外枠６０を組み付け形成する。
【００２４】
以上のように、第三実施形態に係る外枠６０は、上層組付部６２及び下層組付部６３を個々に設けた計４個の基体６１ａ〜６１ｄを相互間で組み付けることによって形成されており、上層組付部６２と下層組付部６３との組み付け位置を変更することで、小型タイプ及び大型タイプの外形寸法に変更可能になっている。これにより、前記第一実施形態の外枠２と同様に、外形寸法が異なって規定される関西及び関東の各枠タイプにおいて、基体６１ａ〜６１ｄを完全に共通使用することができるため、外枠６０の製造コストを大幅に低減することができる。
【００２５】
なお、以上説明した実施形態から把握できる発明として以下のものがある。
（１）前記２つのＬ型基体を同一部材から構成したことを特徴とする。このように構成することにより、外枠の構成部材を製造するための金型等を必要最小限に抑えることができ、より一層製造コストを低減することができる。
【００２６】
【発明の効果】
以上、説明したところから明らかなように、本発明においては、縦長な方形状に枠組み形成される弾球遊技機の外枠において、第１のＬ型基体と第２のＬ型基体とに形成される組付部を組み付けることにより、前記方形状の外枠が構成され、前記組付部は、前記第１のＬ型基体と前記第２のＬ型基体の一方に形成される組付係合部と、前記第１のＬ型基体と前記第２のＬ型基体の他方に形成される組付係止部と、からなり、前記組付係合部は、一方のＬ型基体から他方のＬ形基体に向って突設される係合ピンによって構成され、前記組付係止部は、前記係合ピンが貫通して先端が外側に突出するように穿設される第１ピン挿通穴と、該第１ピン挿通穴よりも下方且つ外側位置で前記係合ピンが貫通して先端が外側に突出するように穿設される第２ピン挿通穴と、前記第１ピン挿通穴又は前記第２ピン挿通穴から突出した前記係合ピンの先端部と係合固定するように回動自在に設けられる一つの係止レバーと、によって構成され、前記係合ピンを前記第１ピン挿通穴に差し込み前記係合レバーにて係合固定することで構成した方形状の外枠より、前記係合ピンを前記第２ピン挿通穴に差し込み前記係合レバーにて係合固定することで構成した方形状の外枠の方が、上下左右方向の寸法の小さな外枠が構成されることを特徴とする。このように構成することにより、外形寸法が異なって規定される関西及び関東の各枠タイプにおいて、枠部材の完全共通使用が可能になり、ひいては外枠の製造コストを大幅に低減することができる。
【図面の簡単な説明】
【図１】  本発明の一実施形態におけるパチンコ遊技機を示す斜視図である。
【図２】  外枠を示す分解正面図である。
【図３】  同図（Ａ）（Ｂ）はそれぞれ組付係止部と組付係合部とを示す拡大斜視図である。
【図４】  同図（Ａ）は小型タイプの外枠を組み付ける場合の組付係止部と組付係合部との係合関係を示す拡大正面図であり、同図（Ｂ）は大型タイプの外枠を組み付ける場合の組付係止部と組付係合部との係合関係を示す拡大正面図である。
【図５】  同図（Ａ）は小型タイプの外枠寸法を示す正面図であり、同図（Ｂ）は大型タイプの外枠寸法を示す正面図である。
【図６】  同図（Ａ）は第二実施形態における外枠を示す斜視図であり、同図（Ｂ）は第二実施形態における外枠の組付部分を示す拡大斜視図である。
【図７】  同図（Ａ）は第二実施形態の外枠を小型タイプに組み付ける場合の外向組付部と内向組付部との組み付け関係を示す拡大正面図であり、同図（Ｂ）は第二実施形態の外枠を小型タイプに組み付ける場合の外向組付部と内向組付部との組み付け関係を示す拡大側面図である。
【図８】  同図（Ａ）は第二実施形態の外枠を大型タイプに組み付ける場合の外向組付部と内向組付部との組み付け関係を示す拡大正面図であり、同図（Ｂ）は第二実施形態の外枠を大型タイプに組み付ける場合の外向組付部と内向組付部との組み付け関係を示す拡大側面図である。
【図９】  同図（Ａ）は第二実施形態の外枠を小型タイプに組み付ける場合の外向組付部と内向組付部との組み付け関係を示す拡大斜視図であり、同図（Ｂ）は第二実施形態の外枠を大型タイプに組み付ける場合の外向組付部と内向組付部との組み付け関係を示す拡大斜視図である。
【図１０】  同図（Ａ）〜（Ｄ）はそれぞれ第三実施形態の外枠を構成する基体を示す説明図である。
【図１１】  同図（Ａ）は第三実施形態の外枠を小型タイプに組み付ける場合の上層組付部と下層組付部との組み付け関係を示す拡大正面図であり、同図（Ｂ）は第三実施形態の外枠を大型タイプに組み付ける場合の上層組付部と下層組付部との組み付け関係を示す拡大正面図である。
【符号の説明】
１  パチンコ遊技機
２  外枠
３  枠基体
４  装飾板
５  遊技盤
１１・１２  蝶番金具
１３  施錠装置
２０ａ・２０ｂ  Ｌ型基体
２１  長辺部
２２  組付係止部
２３  短辺部
２４  組付係合部
２５  補強部材
２６  小型組付面
２７  大型組付片
２８  係止レバー
３１・３２  ピン挿通穴
３５  係合ピン
４０  外枠
４１ａ〜４１ｄ  Ｌ型基体
４２  外向組付部
４３  内向組付部
４５ａ・４５ｂ  ネジ挿通穴
４６ａ・４６ｂ  ネジ挿通穴
４９ａ・４９ｂ  ネジ挿通穴
５０  取付金具
５０ａ  基部
５０ｂ  ネジ部
５１  蝶ナット
６０  外枠
６１ａ〜６１ｄ  基体
６２  上層組付部
６３  下層組付部
６４ａ・６４ｂ  ネジ挿通穴
６５ａ・６５ｂ  ネジ挿入穴
６６ａ・６６ｂ  ネジ挿入穴
６７  ネジ
【図１】
0004033932.tif 000002
【図２】
0004033932.tif 000003
【図３】
0004033932.tif 000004
【図４】
0004033932.tif 000005
【図５】
0004033932.tif 000006
【図６】
0004033932.tif 000007
【図７】
0004033932.tif 000008
【図８】
0004033932.tif 000009
【図９】
0004033932.tif 000010
【図１０】
0004033932.tif 000011
【図１１】
0004033932.tif 000012